(57)【要約】【課題】書込装置から表示装置にデータを書き込む際に、配線の煩わしさがなく、表示装置のデザイン性を向上させる。【解決手段】書込装置３では、制御部３４が、主データを書き込む前に書き込み先の表示装置２を特定するために上記書き込み先の表示装置２に認証用データを送信するように認証通信部３２を制御する。認証が行われると、制御部３４は、書き込み先の表示装置２に、記憶部３０に記憶されている主データを無線通信によって送信するように主通信部３１を制御する。表示装置２では、制御部２５が、書込装置３から認証用データを受信するように認証通信部２１を制御する。制御部２５は、認証後に、書込装置３から主データを無線通信によって受信するように主通信部２０を制御する。【選択図】図１
2010009119.tif 000002
【特許請求の範囲】
【請求項１】
機器の動作監視及び動作指示に用いられる１乃至複数の表示装置と、前記表示装置の動作を決めるための主データを当該表示装置に書き込む際に用いられる書込装置とを備える書込システムであって、
前記書込装置は、前記主データを予め記憶する記憶手段と、前記主データを前記表示装置に無線通信によって送信する書込側主通信手段と、前記主データの書き込み先の表示装置を特定するための認証用データを当該書き込み先の表示装置に送信する書込側認証通信手段と、前記書込側主通信手段及び前記書込側認証通信手段を制御する書込側制御手段とを備え、
前記表示装置は、前記主データを前記書込装置から前記無線通信によって受信する表示側主通信手段と、前記認証用データを前記書込装置から受信する表示側認証通信手段と、前記表示側主通信手段及び前記表示側認証通信手段を制御する表示側制御手段とを備え、
前記書込側制御手段は、前記主データを書き込む前に前記書き込み先の表示装置を特定するために当該書き込み先の表示装置に前記認証用データを送信するように前記書込側認証通信手段を制御し、前記書き込み先の表示装置を認証した後に当該書き込み先の表示装置に前記主データを送信するように前記書込側主通信手段を制御し、
前記表示側制御手段は、前記書込装置から前記認証用データを受信するように前記表示側認証通信手段を制御し、認証後に前記書込装置から前記主データを受信するように前記表示側主通信手段を制御する
ことを特徴とする書込システム。
【請求項２】
前記表示側制御手段及び前記書込側制御手段の少なくとも一方は、前記認証が行われるまで前記表示側主通信手段及び前記書込側主通信手段の少なくとも一方をオフ状態とし、前記認証が行われるとオフ状態の前記表示側主通信手段及び前記書込側主通信手段をオフ状態からオン状態に切り替えることを特徴とする請求項１記載の書込システム。
【請求項３】
前記書込側認証通信手段は、前記表示側認証通信手段と非接触で当該表示側認証通信手段に前記認証用データを送信することを特徴とする請求項１又は２記載の書込システム。
【請求項４】
前記書込装置は人体に取り付けられ、
前記書込側認証通信手段及び前記表示側認証通信手段は、前記人体を含む伝送路を通して通信を行う
ことを特徴とする請求項１又は２記載の書込システム。
【請求項５】
前記書込装置は、前記書き込み先の表示装置の認証情報を入力するための入力手段を備えることを特徴とする請求項１乃至４の何れか１項に記載の書込システム。
【請求項６】
前記書込装置は、前記入力手段で入力された前記認証情報を表示する表示手段を備えることを特徴とする請求項５記載の書込システム。
【請求項７】
前記書込装置は、少なくとも前記書込側主通信手段の駆動電源となる内部電源を備えることを特徴とする請求項１乃至６の何れか１項に記載の書込システム。
【請求項８】
前記書込装置は、前記書込側主通信手段として第１の電界強度レベルの無線信号を用いた無線通信によって前記主データを送信する第１の送信モードと、前記書込側認証通信手段として第２の電界強度レベルの無線信号を用いた第２の無線通信によって前記認証用データを送信する第２の送信モードとを有する書込側通信手段を備え、
前記表示装置は、前記表示側主通信手段として前記主データを前記無線通信によって受信する第１の受信モードと、前記表示側認証通信手段として前記第２の無線通信によって前記認証用データを受信する第２の受信モードとを有する表示側通信手段を備える
ことを特徴とする請求項１記載の書込システム。
【請求項９】
前記書込装置及び前記表示装置の少なくとも一方は、第２の記憶手段を備え、
前記書込側主通信手段及び前記表示側主通信手段は、複数の周波数チャネルを切替可能とし、
前記第２の記憶手段は、前記書込側主通信手段及び前記表示側主通信手段で切り替えられた周波数チャネル及び通信品質を含む通信履歴を記憶し、
前記書込側制御手段及び前記表示側制御手段は、前記第２の記憶手段に記憶されている前記通信履歴を用いて前記書込側主通信手段及び前記表示側主通信手段による周波数チャネルの切替を制御する
ことを特徴とする請求項１乃至８の何れか１項に記載の書込システム。
【請求項１０】
前記書込装置は、前記書込側主通信手段から送信される無線信号の電界強度レベルを検出する検出手段を備え、
前記書込側主通信手段は、前記無線信号の電界強度レベルを可変する機能を有し、
前記書込側制御手段は、前記検出手段で検出された電界強度レベルに応じて前記書込側主通信手段から送信される無線信号の電界強度レベルを調整する
ことを特徴とする請求項１乃至９の何れか１項に記載の書込システム。
【発明の詳細な説明】
【技術分野】
【０００１】
本発明は、機器の動作監視及び動作指示に用いられる表示装置に対して動作に必要なデータを書き込む書込システムに関するものである。
【背景技術】
【０００２】
従来、機器の動作監視及び動作指示を行うために表示装置が用いられている（例えば、特許文献１参照）。この表示装置は、機器の動作監視及び動作指示を行うために、表示装置に表示される画像に関する画像用データや、機器への動作指示の内容を規定する動作用データなどを予め記憶している。
【０００３】
上記のようなデータを表示装置に書き込む（書き換える）ための書込システムとしては、従来、例えばパーソナルコンピュータなどの書込装置を表示装置にケーブルなどで接続し、上記データを有線通信によって書込装置から表示装置に送信するものがある。
【特許文献１】特開２０００−１４８１１１号公報
【発明の開示】
【発明が解決しようとする課題】
【０００４】
しかしながら、従来の書込システムは、書込装置から表示装置へのデータの書き込み（書き換え）の際、書込装置と表示装置とをケーブルなどで接続しなければならないため、従来の書込システムには、配線の煩わしさがあるという問題や、表示装置の前面にケーブル配線用のコネクタを必要とすることによるデザイン性の配慮にも欠けるという問題があった。
【０００５】
本発明は上記の点に鑑みて為されたものであり、その目的は、書込装置から表示装置にデータを書き込む際に、配線の煩わしさがなく、表示装置のデザイン性を向上させることができる書込システムを提供することにある。
【課題を解決するための手段】
【０００６】
請求項１の発明は、機器の動作監視及び動作指示に用いられる１乃至複数の表示装置と、前記表示装置の動作を決めるための主データを当該表示装置に書き込む際に用いられる書込装置とを備える書込システムであって、前記書込装置は、前記主データを予め記憶する記憶手段と、前記主データを前記表示装置に無線通信によって送信する書込側主通信手段と、前記主データの書き込み先の表示装置を特定するための認証用データを当該書き込み先の表示装置に送信する書込側認証通信手段と、前記書込側主通信手段及び前記書込側認証通信手段を制御する書込側制御手段とを備え、前記表示装置は、前記主データを前記書込装置から前記無線通信によって受信する表示側主通信手段と、前記認証用データを前記書込装置から受信する表示側認証通信手段と、前記表示側主通信手段及び前記表示側認証通信手段を制御する表示側制御手段とを備え、前記書込側制御手段は、前記主データを書き込む前に前記書き込み先の表示装置を特定するために当該書き込み先の表示装置に前記認証用データを送信するように前記書込側認証通信手段を制御し、前記書き込み先の表示装置を認証した後に当該書き込み先の表示装置に前記主データを送信するように前記書込側主通信手段を制御し、前記表示側制御手段は、前記書込装置から前記認証用データを受信するように前記表示側認証通信手段を制御し、認証後に前記書込装置から前記主データを受信するように前記表示側主通信手段を制御することを特徴とする。
【０００７】
請求項２の発明は、請求項１の発明において、前記表示側制御手段及び前記書込側制御手段の少なくとも一方は、前記認証が行われるまで前記表示側主通信手段及び前記書込側主通信手段の少なくとも一方をオフ状態とし、前記認証が行われるとオフ状態の前記表示側主通信手段及び前記書込側主通信手段をオフ状態からオン状態に切り替えることを特徴とする。
【０００８】
請求項３の発明は、請求項１又は２の発明において、前記書込側認証通信手段は、前記表示側認証通信手段と非接触で当該表示側認証通信手段に前記認証用データを送信することを特徴とする。
【０００９】
請求項４の発明は、請求項１又は２の発明において、前記書込装置は人体に取り付けられ、前記書込側認証通信手段及び前記表示側認証通信手段は、前記人体を含む伝送路を通して通信を行うことを特徴とする。
【００１０】
請求項５の発明は、請求項１乃至４の何れか１項の発明において、前記書込装置は、前記書き込み先の表示装置の認証情報を入力するための入力手段を備えることを特徴とする。
【００１１】
請求項６の発明は、請求項５の発明において、前記書込装置は、前記入力手段で入力された前記認証情報を表示する表示手段を備えることを特徴とする。
【００１２】
請求項７の発明は、請求項１乃至６の何れか１項の発明において、前記書込装置は、少なくとも前記書込側主通信手段の駆動電源となる内部電源を備えることを特徴とする。
【００１３】
請求項８の発明は、請求項１の発明において、前記書込装置は、前記書込側主通信手段として第１の電界強度レベルの無線信号を用いた無線通信によって前記主データを送信する第１の送信モードと、前記書込側認証通信手段として第２の電界強度レベルの無線信号を用いた第２の無線通信によって前記認証用データを送信する第２の送信モードとを有する書込側通信手段を備え、前記表示装置は、前記表示側主通信手段として前記主データを前記無線通信によって受信する第１の受信モードと、前記表示側認証通信手段として前記第２の無線通信によって前記認証用データを受信する第２の受信モードとを有する表示側通信手段を備えることを特徴とする。
【００１４】
請求項９の発明は、請求項１乃至８の何れか１項の発明において、前記書込装置及び前記表示装置の少なくとも一方は、第２の記憶手段を備え、前記書込側主通信手段及び前記表示側主通信手段は、複数の周波数チャネルを切替可能とし、前記第２の記憶手段は、前記書込側主通信手段及び前記表示側主通信手段で切り替えられた周波数チャネル及び通信品質を含む通信履歴を記憶し、前記書込側制御手段及び前記表示側制御手段は、前記第２の記憶手段に記憶されている前記通信履歴を用いて前記書込側主通信手段及び前記表示側主通信手段による周波数チャネルの切替を制御することを特徴とする。
【００１５】
請求項１０の発明は、請求項１乃至９の何れか１項の発明において、前記書込装置は、前記書込側主通信手段から送信される無線信号の電界強度レベルを検出する検出手段を備え、前記書込側主通信手段は、前記無線信号の電界強度レベルを可変する機能を有し、前記書込側制御手段は、前記検出手段で検出された電界強度レベルに応じて前記書込側主通信手段から送信される無線信号の電界強度レベルを調整することを特徴とする。
【発明の効果】
【００１６】
請求項１の発明によれば、書込装置から表示装置に主データを書き込む際に、認証用データを用いた認証を行ってから主データを無線通信によって送信することによって、書込装置と表示装置とを結ぶケーブルを接続したり、ケーブル配線用のコネクタを設けたりする必要がないので、配線の煩わしさがなく、表示装置のデザイン性を向上させることができる。また、書込側認証通信手段によって、書き込み先の表示装置を特定することができるので、隣接する表示装置が誤って主データを受信することなく、書き込み先の表示装置に主データを確実に書き込むことができる。
【００１７】
請求項２の発明によれば、認証が正常に行われた後に、主データを通信する表示側主通信手段や書込側主通信手段をオフ状態からオン状態に切り替えることによって、必要なときにのみ表示側主通信手段や書込側主通信手段を動作させることができるので、表示装置や書込装置の低消費電力化を図ることができる。
【００１８】
請求項３の発明によれば、非接触通信の認証によって、ケーブルなどの有線を用いることなく、書き込み先の表示装置を特定することができる。
【００１９】
請求項４の発明によれば、人体通信によって認証用データを送信することによって、周辺ノイズなどの影響を受けることなく、より確実に書き込み先の表示装置を特定することができる。
【００２０】
請求項５の発明によれば、書き込み先の表示装置の認証情報を書込装置に入力されることによって、書き込み先の表示装置を書込装置側で設定することができる。
【００２１】
請求項６の発明によれば、入力手段で入力された認証情報を表示手段が表示することによって、入力した認証情報をユーザに確認させることができる。
【００２２】
請求項７の発明によれば、主データの送信に必要な内部電源を備えることによって、書込装置の携帯性を図ることができるので、主データの書き込みの際に利便性を高めることができる。
【００２３】
請求項８の発明によれば、書込側通信手段が、書込側主通信手段として動作する第１の送信モードと、書込側認証通信手段として動作する第２の送信モードとを有し、表示側通信手段が、表示側主通信手段として動作する第１の受信モードと、表示側認証通信手段として動作する第２の受信モードとを有することによって、書込側通信手段及び表示側通信手段を１つずつにすることができるので、書込装置と表示装置の双方の小型化及び低コスト化を図ることができる。
【００２４】
請求項９の発明によれば、通信履歴を記憶することによって、これまでの通信品質を確認することができるので、適切な周波数チャネルを設定することができ、その結果、主データの書き込みの通信品質を向上させることができる。
【００２５】
請求項１０の発明によれば、書込側主通信手段から送信される無線信号の電界強度レベルを検出することによって、他の表示装置や同一周波数帯で使用の無線設備への影響を低減することができる。
【発明を実施するための最良の形態】
【００２６】
（実施形態１）
まず、実施形態１の構成について図１，２を用いて説明する。実施形態１は、図２に示すように、機器１と、機器１の動作監視及び動作指示に用いられる表示装置２と、後述の主データを表示装置２に書き込む際に用いられる書込装置３と、書込装置３から表示装置２に書き込むための主データを作成するパーソナルコンピュータ４とを備えている。
【００２７】
機器１としては、例えばシーケンサやプログラマブルロジックコントローラ（ＰＬＣ）などがある。
【００２８】
パーソナルコンピュータ４は、例えば表示装置２とは離れた場所に設置され、主データを作成するためのソフトウェアなどがインストールされている。パーソナルコンピュータ４で作成された主データは、パーソナルコンピュータ４に書込装置３が接続されたときに、パーソナルコンピュータ４から書込装置３に転送される。
【００２９】
主データとしては、例えば、表示装置２に表示される画像に関する画像用データや、機器１への動作指示の内容を規定する動作用データなどがある。
【００３０】
続いて、書込装置３の構成について図１を用いて説明する。書込装置３は、主データを予め記憶する記憶部３０と、主データを表示装置２に送信する主通信部３１と、主データの書き込み先の表示装置２を特定するための認証用データを上記書き込み先の表示装置２に送信する認証通信部３２と、パーソナルコンピュータ４から主データを受け取る通信部３３と、書込装置３全体を制御する制御部３４とを備えている。
【００３１】
記憶部３０には、パーソナルコンピュータ４で作成された主データが予め記憶されている。なお、記憶部３０は、本発明の記憶手段に相当する。
【００３２】
主通信部３１は、制御部３４の制御によって、主データを複数のパケットに分け、各パケットを信号Ｓ３として無線通信によって表示装置２に送信する。また、主通信部３１は、表示装置２から信号Ｓ４を受信する。信号Ｓ４に含まれている情報は、制御部３４に出力される。さらに、主通信部３１は、無線信号の電界強度レベルを可変する機能を有している。なお、主通信部３１は、本発明の書込側主通信手段に相当する。
【００３３】
認証通信部３２は、例えばＲＦＩＤや赤外線通信などの非接触の通信手段であり、制御部３４の制御によって、認証用データを信号Ｓ１として表示装置２に送信する。また、認証通信部３２は、表示装置２から信号Ｓ２を受信する。信号Ｓ２に含まれている情報は、制御部３４に出力される。なお、認証通信部３２は、本発明の書込側認証通信手段に相当する。
【００３４】
制御部３４は、認証通信部３２を制御するものであり、主データを書き込む前に書き込み先の表示装置２を特定するために上記書き込み先の表示装置２に認証用データを送信するように認証通信部３２を制御する。認証用データを送信するように制御した制御部３４は、表示装置２からの確認信号の情報を確認して、書き込み先の表示装置２であることを認証する。つまり、制御部３４は、正しく認証されたと判断する。なお、制御部３４は、本発明の書込側制御手段に相当する。
【００３５】
また、制御部３４は、主通信部３１を制御するものでもあり、書き込み先の表示装置２による認証後に、上記書き込み先の表示装置２に主データを無線通信によって送信するように主通信部３１を制御する。つまり、認証された旨を知らせるための信号Ｓ２が認証通信部３２で受信されると、制御部３４は、上記書き込み先の表示装置２に主データを無線通信によって送信するように主通信部３１を制御する。
【００３６】
さらに、制御部３４は、主通信部３１から送信される無線信号の電界強度レベルを検出する。電界強度レベルを検出した制御部３４は、検出した電界強度レベルに応じて主通信部３１から送信される無線信号の電界強度レベルを調整する。なお、制御部３４は、本発明の検出手段に相当する。
【００３７】
続いて、表示装置２の構成について図１を用いて説明する。表示装置２は、主データを書込装置３から受信する主通信部２０と、認証用データを書込装置３から受信する認証通信部２１と、主データと記憶する記憶部２２と、機器１と通信を行う通信部２３と、機器１に関する情報を表示する表示部２４と、表示装置２全体を制御する制御部２５とを備えている。
【００３８】
主通信部２０は、書込装置３からの信号Ｓ３を無線通信によって受信する。信号Ｓ３に含まれている主データは、制御部２５に出力される。また、主通信部２０は、信号Ｓ３を受信した旨を知らせるための信号Ｓ４を書込装置３に送信する。なお、主通信部２０は、本発明の表示側主通信手段に相当する。
【００３９】
認証通信部２１は、書込装置３からの信号Ｓ１を受信する。信号Ｓ１に含まれている認証用データは、制御部２５に出力される。また、認証通信部２１は、認証が行われた旨を知らせるための信号Ｓ２を書込装置３に送信する。なお、認証通信部２１は、本発明の表示側認証通信手段に相当する。
【００４０】
制御部２５は、認証通信部２１を制御するものであり、書込装置３から認証用データを受信するように認証通信部２１を制御する。認証通信部２１で受信された認証用データを取得した制御部２５は、取得した認証用データに含まれる認証情報が自己の認証情報である場合、その旨を知らせるための確認信号を書込装置３に送信するように認証通信部２１を制御する。なお、制御部２５は、本発明の表示側制御手段に相当する。
【００４１】
また、制御部２５は、主通信部２０を制御するものであり、認証後に書込装置３から主データを無線通信によって受信するように主通信部２０を制御する。
【００４２】
さらに、制御部２５は、認証が正常であると判断するまで、電源から主通信部２０への電源供給路に挿入されたスイッチ２６をオフ状態にすることによって、主通信部２０をオフ状態とする。上記制御部２５は、認証が正常であると判断すると、スイッチ２６をオフ状態からオン状態に切り替えることによって、主通信部２０をオフ状態からオン状態に切り替える。
【００４３】
以上、本実施形態によれば、書込装置３から表示装置２に主データを書き込む際に、認証用データを用いた認証を行ってから主データを無線通信によって送信することによって、書込装置３と表示装置２とを結ぶケーブルを接続したり、ケーブル配線用のコネクタを設けたりする必要がないので、配線の煩わしさがなく、表示装置２のデザイン性を向上させることができる。
【００４４】
また、本実施形態によれば、認証通信部３２によって、書き込み先の表示装置２を特定することができるので、隣接する表示装置が誤って主データを受信することなく、書き込み先の表示装置２に主データを確実に書き込むことができる。つまり、単に無線通信によって主データを送信した場合、主データを送信する無線信号の信号強度を強いと、書き込み先の表示装置だけでなく隣接する他の表示装置にも誤ってデータが送信されてしまうという問題があるが、本実施形態では、上記問題の発生を防止することができる。
【００４５】
さらに、本実施形態によれば、認証が正常に行われた後に、主データを受信する主通信部２０をオフ状態からオン状態に切り替えることによって、必要なときにのみ主通信部２０を動作させることができるので、表示装置２の低消費電力化を図ることができる。
【００４６】
また、本実施形態によれば、非接触通信の認証によって、ケーブルなどの有線を用いることなく、書き込み先の表示装置２を特定することができる。
【００４７】
さらに、本実施形態によれば、主通信部３１から送信される無線信号の電界強度レベルを検出することによって、他の表示装置２や同一周波数帯で使用の無線設備への影響を低減することができる。
【００４８】
なお、実施形態１の変形例として、制御部３４が、認証が正常であると判断するまで、電源から主通信部３１への電源供給を停止することによって、主通信部３１をオフ状態とするものであってもよい。上記制御部３４は、認証が正常であると判断すると、スイッチ２６をオフ状態からオン状態電源から主通信部３１への電源供給を開始することによって、主通信部３１をオフ状態からオン状態に切り替える。
【００４９】
（実施形態２）
実施形態２の書込システムは、書込装置３が人体に取り付けられて人体通信によって認証用データの送受信を行う点で、実施形態１の書込システムと相違する。なお、実施形態１と同様の構成要素については、同一の符号を付して説明を省略する。
【００５０】
本実施形態の書込装置３において、認証通信部３２は、人体を伝送媒体の一部とする人体通信によって認証用データを送信する。
【００５１】
本実施形態の表示装置２において、認証通信部２１は、表示装置２の所定位置に接触している人体を介して認証用データを受信する。
【００５２】
人体は導体であるため、書込装置３がユーザに取り付けられ、書込装置３が取り付けられたユーザの一部（例えば手など）が表示装置２の所定位置（認証通信部２１が受信可能な位置）に接触すると、認証通信部３２からの認証用データは人体を通って認証通信部２１に伝達される。
【００５３】
以上、本実施形態によれば、人体通信によって認証用データを送信することによって、周辺ノイズなどの影響を受けることなく、より確実に書き込み先の表示装置２を特定することができる。
【００５４】
（実施形態３）
実施形態３の書込システムは、図３に示すように、書込装置３に入力部３５及び表示部３６を備える点で、実施形態１の書込システム（図１参照）と相違する。なお、実施形態１と同様の構成要素については、同一の符号を付して説明を省略する。
【００５５】
入力部３５は、例えばテンキーやタッチパネルなどであり、ユーザが書き込み先の表示装置２の認証情報を入力するためのものである。なお、入力部３５は、本発明の入力手段に相当する。
【００５６】
表示部３６は、入力部３５で入力された認証情報を表示する。なお、表示部３６は、本発明の表示手段に相当する。
【００５７】
以上、本実施形態によれば、書き込み先の表示装置２の認証情報を書込装置３に入力されることによって、書き込み先の表示装置２を書込装置３側で設定することができる。
【００５８】
また、本実施形態によれば、入力部３５で入力された認証情報を表示部３６が表示することによって、入力した認証情報をユーザに確認させることができる。
【００５９】
（実施形態４）
実施形態４の書込システムは、図４に示すように、書込装置３に電池３７を備える点で、実施形態１の書込システム（図１参照）と相違する。なお、実施形態１と同様の構成要素については、同一の符号を付して説明を省略する。
【００６０】
電池３７は、主通信部３１の駆動電源となる。なお、電池３７は、本発明の内部電源に相当する。
【００６１】
以上、本実施形態によれば、主データの送信に必要な電池３７を備えることによって、書込装置３の携帯性を図ることができるので、主データの書き込みの際に利便性を高めることができる。
【００６２】
（実施形態５）
実施形態５の書込システムは、図５に示すように、書込装置３が主通信部３１及び認証通信部３２に代えて通信部３８を備え、表示装置２が主通信部２０及び認証通信部２１に代えて通信部２７を備える点で、実施形態１の書込システム（図１参照）と相違する。なお、実施形態１と同様の構成要素については、同一の符号を付して説明を省略する。
【００６３】
本実施形態の書込装置３において、通信部３８は、書込側主通信手段として第１の電界強度レベルの無線信号を用いた無線通信によって主データを送信する第１の送信モードと、書込側認証通信手段として、例えば、主データを送信する無線信号の第１の電界強度レベルより低い電界強度レベルの無線信号を用いた第２の無線通信によって認証用データを送信する第２の送信モードとを有する。なお、通信部３８は、本発明の書込側通信手段に相当する。
【００６４】
第１の送信モードでは、通信部３８は、制御部３４の制御によって、主データを複数のパケットに分け、各パケットを信号Ｓ３として無線通信によって表示装置２に送信する。また、通信部３８は、表示装置２から信号Ｓ４を受信する。信号Ｓ４に含まれている情報は、制御部３４に出力される。
【００６５】
第２の送信モードでは、通信部３８は、制御部３４の制御によって、認証用データを信号Ｓ１として表示装置２に送信する。また、通信部３８は、表示装置２から信号Ｓ２を受信する。信号Ｓ２に含まれている情報は、制御部３４に出力される。
【００６６】
制御部３４は、第２の送信モードに切り替えて認証用データを送信するように通信部３８を制御する。認証後に、制御部３４は、第２の送信モードから第１の送信モードに切り替えて主データを送信するように通信部３８を制御する。
【００６７】
本実施形態の表示装置２において、通信部２７は、表示側主通信手段として主データを無線通信によって受信する第１の受信モードと、表示側認証通信手段として第２の無線通信によって認証用データを受信する第２の受信モードとを有する。なお、通信部２７は、本発明の表示側通信手段に相当する。
【００６８】
第１の受信モードでは、通信部２７は、書込装置３からの信号Ｓ３を無線通信によって受信する。信号Ｓ３に含まれている主データは、制御部２５に出力される。また、通信部２７は、信号Ｓ３を受信した旨を知らせるための信号Ｓ４を書込装置３に送信する。
【００６９】
第２の受信モードでは、通信部２７は、書込装置３からの信号Ｓ１を無線通信によって受信する。信号Ｓ１に含まれている認証用データは、制御部２５に出力される。また、通信部２７は、認証用データの認証情報が自己の認証情報である旨を知らせるための信号Ｓ２を書込装置３に送信する。
【００７０】
制御部２５は、第２の受信モードに切り替えて認証用データを受信するように通信部２７を制御する。認証後、制御部２５は、第２の受信モードから第１の受信モードに切り替えて主データを受信するように通信部２７を制御する。
【００７１】
以上、本実施形態によれば、通信部３８が、書込側主通信手段として動作する第１の送信モードと、書込側認証通信手段として動作する第２の送信モードとを有し、通信部２７が、表示側主通信手段として動作する第１の受信モードと、表示側認証通信手段として動作する第２の受信モードとを有することによって、書込側通信手段及び表示側通信手段を１つずつにすることができるので、書込装置３と表示装置２の双方の小型化及び低コスト化を図ることができる。
【００７２】
本実施形態のように、認証時において電界強度レベル（第１の電界強度レベル）を主データ通信時の電界強度レベル（第１の電界強度レベル）より低くした場合、近接で認証することができるので、書き込み先の表示装置２を容易に特定することができる。また、認証時の電界強度レベルが低いので、他の無線機への影響を小さくすることができる。
【００７３】
（実施形態６）
実施形態６の書込システムは、図１に示すように、主通信部３１及び主通信部２０が、周波数の異なる複数個のチャネルの切替（周波数チャネルの切替）を可能とする点で、実施形態１の書込システムと相違する。なお、実施形態１と同様の構成要素については、同一の符号を付して説明を省略する。
【００７４】
本実施形態の書込装置３において、制御部３４は、主通信部３１による主データの再送回数に応じて通信品質を測定する。制御部３４で測定された通信品質は、主通信部３１及び主通信部２０で切り替えられた周波数チャネルとともに通信履歴として記憶部３０に記憶される。制御部３４は、記憶部３０に記憶されている通信履歴を用いて、主通信部３１による周波数チャネルの切替を制御する。このとき、制御部３４は、切り替えた周波数チャネルの情報を表示装置２に送信するように主通信部３１を制御する。なお、記憶部３０は、本発明の第２の記憶手段に相当する。
【００７５】
本実施形態の表示装置２において、制御部２５は、主通信部２０が受信した周波数チャネルの情報に従って、主通信部２０による周波数チャネルの切替を制御する。
【００７６】
以上、本実施形態によれば、通信履歴を記憶することによって、これまでの通信品質を確認することができるので、適切な周波数チャネルを設定することができ、その結果、主データの書き込みの通信品質を向上させることができる。
【００７７】
なお、実施形態６の変形例として、通信履歴を書込装置３の記憶部３０ではなく表示装置２の記憶部２２が記憶してもよい。この場合、制御部３４で測定された通信品質の情報は表示装置２に送信される。表示装置２の記憶部２２には、受信した通信品質を周波数チャネルとともに通信履歴として記憶される。このような構成にしても、実施形態６と同様に、通信履歴を記憶することによって、これまでの通信品質を確認することができるので、適切な周波数チャネルを設定することができ、その結果、データの書き込みの通信品質を向上させることができる。なお、上記の場合、記憶部２２は、本発明の第２の記憶手段に相当する。
【図面の簡単な説明】
【００７８】
【図１】実施形態１に係る書込システムの構成を示すブロック図である。
【図２】実施形態１の構成を示す概略図である。
【図３】実施形態３に係る書込装置の構成を示すブロック図である。
【図４】実施形態４に係る書込装置の構成を示すブロック図である。
【図５】実施形態５に係る書込システムの構成を示すブロック図である。
【符号の説明】
【００７９】
１  機器
２  表示装置
２０  主通信部（表示側主通信手段）
２１  認証通信部（表示側認証通信手段）
２５  制御部（表示側制御手段）
２７  通信部（表示側通信手段）
３  書込装置
３０  記憶部（記憶手段、第２の記憶手段）
３１  主通信部（書込側主通信手段）
３２  認証通信部（書込側認証通信手段）
３４  制御部（書込側制御手段、検出手段）
３５  入力部（入力手段）
３６  表示部（表示手段）
３７  電池（内部電源）
３８  通信部（書込側通信手段）
【図１】
2010009119.tif 000003
【図２】
2010009119.tif 000004
【図３】
2010009119.tif 000005
【図４】
2010009119.tif 000006
【図５】
2010009119.tif 000007